(57)【要約】【課題】  ディスク装置の回路基板から輻射される電磁波ノイズを遮断するシールドケースを可及的に小型化できるようにする。【解決手段】  第１のシールドケース１５Ａと第２のシールドケース１５Ｂとに分割したシールドケース１５を設ける。このシールドケース１５で回路基板６を全体的に覆った状態でフレーム７の上面に水平に固定する。回路基板６から輻射される電磁波ノイズをシールドケース１５で遮蔽する。この電磁波ノイズを遮蔽するシールドケース１５で回路基板６を覆うことで、シールドケース１５をコンパクトに小型化でき、シールドケース１５を組み付けるディスク装置１の小型化も可能となる。【選択図】  図１
2007012103.tif 000002
【特許請求の範囲】
【請求項１】
ディスクを回転駆動するターンテーブルと、このターンテーブルと対向して前記ディスクを挟持するクランパと、前記ディスクの記録面にレーザー光を照射するピックアップレンズと、ディスク装置を制御する回路基板と、これら構成部品を組付けるためのフレームとを備え、前記ディスクが交換可能な前記フレーム外から前記ピックアップレンズに臨む前記フレーム内まで前記ディスクを移動させて前記ディスクの記録／再生を行うとともに、前記フレームは、対向する一対の側壁部と、この両側壁部の間に架設して前記ピックアップレンズ、その送り機構、ターンテーブルなどの駆動系ユニットを固定するための水平方向に延びる支持部とを備えたディスク装置において、前記回路基板を囲繞するシールドケースを設け、このシールドケースを前記フレームの支持部とほぼ平行するように前記側壁部間に架設したことを特徴とするディスク装置。
【請求項２】
前記シールドケースを前記駆動系ユニットの上方又は下方を覆うように前記フレームに固定したことを特徴とする請求項１記載のディスク装置。
【請求項３】
前記シールドケースを分割し、その一方のシールドケースと前記回路基板を前記フレームに位置決めする位置決め手段と、フレームと回路基板とを固定する第１の固定手段と、回路基板と一方のシールドケースとを固定する第２の固定手段とを設け、この第１及び第２の固定手段によって、前記フレームに回路基板と一方のシールドケースとを固定するとともに、そのフレームに固定された前記一方のシールドケースと他方のシールドケースとを固定して各シールドケースで回路基板を囲繞するように構成したことを特徴とする請求項１又は２記載のディスク装置。
【発明の詳細な説明】
【技術分野】
【０００１】
本発明は、ディスクの記録面にレーザー光を照射してディスクの記録／再生を行うディスク装置、特にディスク装置を制御する回路基板からの電磁波ノイズを効果的に抑えるようにしたディスク装置に関する。
【背景技術】
【０００２】
近年、例えば、ＤＶＤ再生装置などのディスク装置は、単体で利用される他、ディスク装置を内蔵したテレビジョン受像機等、その使用範囲は広範囲に及んでいる。このような、ＤＶＤ再生装置は、動画となるデジタル画像信号の処理を行うことから、ＤＶＤ再生装置を制御するＭＰＥＧ（Ｍｏｖｉｎｇ  Ｐｉｃｔｕｒｅ  Ｅｘｐｅｒｔｓ  Ｇｒｏｕｐ）基板などの回路基板から電磁波ノイズが輻射され、特に、ディスク装置を内蔵した複合型のテレビジョン受像機においては、回路基板（ＭＰＥＧ基板）から輻射される電磁波ノイズがテレビ側の回路に入り込む等、悪影響を与えることから、そのノイズ対策は重要な課題である。
【０００３】
このような、ディスク装置のノイズ対策として、ディスク装置を単体として用いる専用機において、特許文献１では、樹脂製の前面パネル、金属製の背面パネル、金属製の上ケース、金属製の下ケースで構成したディスク装置のシールド構造が開示されている。このような専用機は、ディスク装置の筐体がノイズを遮蔽するシールドケースとして機能することになるが、ディスク装置を内蔵したテレビジョン受像機などの複合機とした場合、動画となるデジタル画像信号の処理を行う回路基板（ＭＰＥＧ基板）から輻射される電磁波ノイズが他の例えば、テレビ側の回路に入りこんで悪影響を与える。このような、ディスク装置を内蔵した複合型のテレビジョン受像機において、特許文献２には、テレビジョン受像機の筐体内に収納されるＤＶＤ再生装置をシールド台座とシールドカバーとで全体に覆うことによって、ＤＶＤ再生装置から輻射される電磁波ノイズをシールドするように構成したＤＶＤ再生装置内蔵型テレビジョンが開示されている。
【０００４】
【特許文献１】実用新案登録第３０９５５５１号公報
【特許文献２】実用新案登録第３０７５８０８号公報
【発明の開示】
【発明が解決しようとする課題】
【０００５】
前記特許文献２で開示されるＤＶＤ再生装置内蔵型テレビジョンは、筐体内に収納されるＤＶＤ再生装置をシールド台座とシールドカバーとで全体に覆うことから、電磁波ノイズを遮蔽するためのシールドケースが大型化し、一つの筐体内にＤＶＤ再生装置とテレビジョン受像機などを収納する複合機においては、筐体内に各構成部品を高密度に組み込んで装置全体を小型化する傾向にあり、大型のシールドケースでＤＶＤ再生装置を全体的に覆うシールド構造では装置の大型化を招く、という課題を有している。
【０００６】
本発明は上述した問題点に鑑みてなされたものであり、回路基板から輻射される電磁波ノイズを遮断するシールドケースをコンパクトに小型化し、シールドケースの取付けスペースを可及的に少なく抑えることができるディスク装置を提供することを目的とする。
【課題を解決するための手段】
【０００７】
請求項１のディスク装置は、前記ディスクを回転駆動するターンテーブルと、このターンテーブルと対向して前記ディスクを挟持するクランパと、前記ディスクの記録面にレーザー光を照射するピックアップレンズと、ディスク装置を制御する回路基板と、これら構成部品を組付けるためのフレームとを備え、前記ディスクが交換可能な前記フレーム外から前記ピックアップレンズに臨む前記フレーム内まで前記ディスクを移動させて前記ディスクの記録／再生を行うとともに、前記フレームは、対向する一対の側壁部と、この両側壁部の間に架設して前記ピックアップレンズ、その送り機構、ターンテーブルなどの駆動系ユニットを固定するための水平方向に延びる支持部とを備えたディスク装置において、前記回路基板を囲繞するシールドケースを設け、このシールドケースを前記フレームの支持部とほぼ平行するように前記側壁部間に架設したことを特徴とする。
【０００８】
請求項１の構成により、回路基板から輻射される電磁波ノイズはシールドケースによって電磁的に遮蔽され、他の電子機器への混入を抑制する。また、回路基板を囲むシールドケースはフレームの支持部とほぼ平行して側壁部間に架設されているから、フレームの取付けスペースを利用して回路基板を含むシールドケースを固定することができる。
【０００９】
請求項２のディスク装置は、請求項１記載のディスク装置において、前記シールドケースを前記駆動系ユニットの上方又は下方を覆うように前記フレームに固定したことを特徴とする。
【００１０】
請求項２の構成により、フレームに固定される駆動系ユニットの上方又は下方が回路基板のシールドケースによって覆われ、駆動系ユニットから輻射される電磁波ノイズもシールドケースによって低減することが可能となる。
【００１１】
請求項３のディスク装置は、請求項１又は２記載のディスク装置において、前記シールドケースを分割し、その一方のシールドケースと前記回路基板を前記フレームに位置決めする位置決め手段と、フレームと回路基板とを固定する第１の固定手段と、回路基板と一方のシールドケースとを固定する第２の固定手段とを設け、この第１及び第２の固定手段によって、前記フレームに回路基板と一方のシールドケースとを固定するとともに、そのフレームに固定された前記一方のシールドケースに他方のシールドケースを固定して各シールドケースで回路基板を囲繞するように構成したことを特徴とする。
【００１２】
請求項３の構成により、位置決め手段により、フレームに対して一方のシールドケースを位置決めした後、一方のシールドケースに回路基板を組み付けてフレームと回路基板を位置決めする。回路基板とフレームは第１の固定手段によって固定され、第２の固定手段の固定手段によってフレームと一体化した回路基板と一方のシールドケースとが固定される。これにより、フレームに一方のシールドケースと回路基板とが一体的に固定され、フレームに固定された一方のシールドケースに他方のシールドケースを固定することによって、各シールドケースで回路基板が囲繞される。また、フレームと回路基板とを固定する第１の固定手段を設けることで、シールドケースを省略して単に回路基板のみをフレームに固定することが可能となり、フレームに回路基板を露出させた状態でも固定することが可能となる。すなわち、ディスク装置は、単体で筐体内に収容した専用機や他のテレビジョン受像機などと筐体内に収納する複合機などとしても用いられ、専用機の場合、ディスク装置を収納する筐体がシールドケースとして機能することから、回路基板を露出させて筐体内に固定したとしても他の電子機器に及ぼす影響は少ない。このように、シールドケースを省略可能な専用機と他の電子機器と組み合わせた複合機とでディスク装置のフレーム及び回路基板を共通化することができる。
【発明の効果】
【００１３】
本発明の請求項１のディスク装置によれば、ディスクを回転駆動するターンテーブルと、このターンテーブルと対向して前記ディスクを挟持するクランパと、前記ディスクの記録面にレーザー光を照射するピックアップレンズと、ディスク装置を制御する回路基板と、これら構成部品を組付けるためのフレームとを備え、前記ディスクが交換可能な前記フレーム外から前記ピックアップレンズに臨む前記フレーム内まで前記ディスクを移動させて前記ディスクの記録／再生を行うとともに、前記フレームは、対向する一対の側壁部と、この両側壁部の間に架設して前記ピックアップレンズ、その送り機構、ターンテーブルなどの駆動系ユニットを固定するための水平方向に延びる支持部とを備えたディスク装置において、前記回路基板を囲繞するシールドケースを設け、このシールドケースを前記フレームの支持部とほぼ平行するように前記側壁部間に架設したことにより、回路基板から輻射される電磁波ノイズをシールドケースによって効果的に遮蔽することができるとともに、回路基板のみをシールドケースによって覆うことにより、ディスク装置を内蔵したテレビジョン受像機などの複合機において、シールドケースの小型化並びに軽量化することができ、ひいては内蔵したテレビジョン受像機などの複合機の小型化も図ることが可能となる。
【００１４】
請求項２のディスク装置によれば、請求項１記載のディスク装置において、前記シールドケースを前記駆動系ユニットの上方又は下方を覆うように前記フレームに固定したことにより、回路基板から輻射される電磁波ノイズのみならず駆動系ユニットから輻射される電磁波ノイズも効果的にシールドすることができる。
【００１５】
請求項３のディスク装置によれば、請求項１又は２記載のディスク装置において、前記シールドケースを分割し、その一方のシールドケースと前記回路基板に前記フレームを対する位置決め手段を設けるとともに、フレームと回路基板とを固定する第１の固定手段と、回路基板と一方のシールドケースとを固定する第２の固定手段とを設け、この第１及び第２の固定手段によって、前記フレームに回路基板と一方のシールドケースとを固定するとともに、フレームに固定された前記一方のシールドケースに他方のシールドケースを固定して各シールドケースで回路基板を囲繞するように構成したことにより、シールドケースを省略して回路基板単体をディスク装置のフレームに固定することが可能となり、ディスク装置を内蔵したテレビジョン受像機などの複合機とディスク装置単体の専用機とでディスク装置のフレーム及び回路基板を共通化することができるため、汎用性にも優れる。
【発明を実施するための最良の形態】
【００１６】
以下、本発明の具体的実施例について、添付図面を参照しながら説明する。なお、以下の実施態様は、本発明を具体化する際の一形態であって、本発明をその範囲内に限定するためのものではない。
【実施例１】
【００１７】
図１〜図５は本実施例のディスク装置の実施例１を示し、図１は、シールドケースとフレームとの分解斜視図、図２はシールドケースを組み付けたディスク装置の斜視図、図３は、シールドケースを取り外した状態のディスク装置の平面図、図４ディスク装置の断面図、図５は回路基板をディスク装置に組み付けた状態を示す斜視図である。図１〜図５で示すように、ディスク装置１は、ディスクを搬入／搬出するトレイ３と、ディスクを回転駆動するターンテーブル４と、このターンテーブルと対向して前記ディスクを挟持するクランパ４Ａと、ディスクの半径方向へ進退可能に設けたピックアップレンズ５と、ディスク装置１を制御する回路基板６などを主要構成部品とし、これら主要構成部品を合成樹脂製のフレーム７に組付けている。また、前記ターンテーブル４とピックアップレンズ５及びその送り機構８は金属製の支持フレーム９に固定して一体的にユニット化し、これを駆動系ユニット１０としている。
【００１８】
前記フレーム７は、水平方向に延びる支持部７Ａと、この支持部７Ａの左右両側に一体形成する側壁部７Ｂとで構成され、前記支持部７Ａに形成する開口部７Ｃに臨ませて前記駆動系ユニット１０を固定するとともに、側壁部７Ｂの内面に前記トレイ３を案内するレール１２を形成し、このレール１２に沿わせてトレイ３をフレーム７に対して前後方向に移動可能に案内している。
【００１９】
前記ターンテーブル４は、前記フレーム７のほぼ中央部に配置されたスピンドルモータ１４によって回転し、このターンテーブル４の上方に位置して前記フレーム７の側壁部７Ｂの間に帯板状の支持板７Ｅが一体的に架設されている。この支持部７Ｅの中央部に前記クランパ４Ａが固定されており、このクランパ４Ａとターンテーブル４とでディスクを挟持して、ディスクを回転するように構成している。
【００２０】
前記回路基板６は、前記ピックアップレンズ５によりディスクから光学的に読み出された映像／音声信号を復調し、圧縮された映像／音声信号を伸張して元の映像／音声信号に復号するＭＰＥＧ（Ｍｏｖｉｎｇ  Ｐｉｃｔｕｒｅ  Ｅｘｐｅｒｔｓ  Ｇｒｏｕｐ）基板などの制御用の回路基板であり、金属製のシールドケース１５によって全体的に覆われている。この回路基板６を囲繞するシールドケース１５は、金属板を折曲加工して上下に分割した第１のシールドケース１５Ａと、第２のシールドケース１５Ｂとで構成され、第１のシールドケース１５Ａは両側に側板を有して全体としてほぼ平板状に形成され、第２のシールドケース１５Ｂは天板部の周縁から周壁部を垂設して下方を開口した薄い箱型を成す。これら各シールドケース１５Ａ,１５Ｂに回路基板６に接続するための可撓性を有するフレキシブルフラットケーブル（以下、単にフラットケーブルと称す）１８Ｂを挿通する切欠部１６を形成し、このフラットケーブル１８Ｂにより前記回路基板６と駆動系ユニット１０とが電気的に接続され、回路基板６に形成された映像／音声信号処理回路により前記ピックアップレンズ５によりディスクから光学的に読み出された映像／音声信号を復調し、圧縮された映像／音声信号が伸張されて元の映像／音声信号に復号されるようになっている。
【００２１】
前記回路基板６と、この回路基板６を収納するシールドケース１５は、フレーム７の左右の側壁部７Ｂの上面に掛け渡してフレーム７に対して水平に固定されている。前記フレーム７の支持部７Ｅには、回路基板６を係止するＬ型の係止爪２０が一体形成されるとともに、フレーム７の側壁部７Ｂ，７Ｂには複数の位置決めピン２１及び位置決めピン２２Ａと固定孔２２Ｂを有するリブ２３が形成されている。前記第１のシールドケース１５Ａには前記位置決めピン２１と対応する位置決め孔２４と係止爪２０及びリブ２３と対応する挿通孔２５,２６が形成され、さらに、第１のシールドケース１５Ａのコーナー部分に位置して回路基板６を固定するためのねじ孔２８を有する折曲片２９が形成されている。一方、前記回路基板６には前記フレーム７に形成する係止爪２０、位置決めピン２１、固定孔２２Ｂ及び第１のシールドケース１５Ａのねじ孔２８と対応して係止孔３０、位置決め孔３１、ねじ挿通孔３２が形成されている。すなわち、第１のシールドケース１５Ａと回路基板６をフレーム７に位置決めするための位置決め手段としてフレーム７には係止爪２０、位置決めピン２１,２２Ａ,リブ２３が、第１のシールドケース１５Ａには位置決め孔２４、挿通孔２５,２６が、回路基板６には係止孔３０、位置決め孔３１がそれぞれ形成されている。また、フレーム７と回路基板６とを固定する第１の固定手段としてフレーム７に固定孔２２Ｂが形成され、さらに、回路基板６と第１のシールドケース１５Ａとを固定する第２の固定手段として第１のシールドケース１５Ａのコーナー部分にねじ孔２８を有する折曲片２９が形成されている。
【００２２】
以上のように構成される本実施例では、先ず、フレーム７に第１のシールドケース１５Ａを組み付ける。すなわち、フレーム７に形成する位置決めピン２１とリブ２３及び係止爪２０に第１のシールドケース１５Ａに形成する位置決め孔２４と挿通孔２５,２６を嵌め入れてフレーム７に第１のシールドケース１５Ａを位置決め保持する。このように、フレーム７に位置決めされた第１のシールドケース１５Ａに回路基板６を組み付ける。この際、回路基板６に形成する係止孔３０をフレーム７に形成する係止爪２０に挿入して回路基板６を前方にスライドさせた後、フレーム７の位置決めピン２１に回路基板６の位置決め孔３１を挿入してフレーム７に対して回路基板６を位置決め保持する。この後、回路基板６のねじ挿通孔３２に通したビス３３をリブ２３の固定孔２２Ａに螺着してフレーム７に回路基板６を固定するとともに、回路基板６のねじ挿通孔３２に通したビス３３を第１のシールドケース１５Ａの折曲片２９に形成するねじ孔２８にねじ込むことによってフレーム７、第１のシールドケース１５Ａ、回路基板６が相互に一体化される。この後、回路基板６にフラットケーブル１８Ｂを接続するとともに、第１のシールドケース１５Ａに第２のシールドケース１５Ｂを被覆して、各シールドケース１５Ａ，１５Ｂを図示しないビスなどの適宜固定手段によって固定する。これにより、回路基板６の周囲が各シールドケース１５Ａ，１５Ｂで覆われ、回路基板６から輻射する電磁波ノイズをシールドケース１５によって電磁的に遮蔽する。また、回路基板６を覆うシールドケース１５は、フレーム７の側壁部７Ｂ，７Ｂ間に掛け渡すことによって、図２及び図４に示すようにシールドケース１５によってフレーム７の上部開口部分が塞がれ、フレーム７に固定される駆動系ユニット１０の上部が回路基板６を収納したシールドケース１５によって覆われる。これにより、回路基板６を囲繞するシールドケース１５によって駆動系ユニット１０から輻射される電磁波ノイズも抑制することが可能となる。
【００２３】
上記のように構成される本実施例は、デジタル画像信号の処理する回路基板６の周囲をシールドケース１５で囲繞することにより、回路基板６から輻射される電磁波ノイズをシールドケース１５によって効果的に遮蔽することができるとともに、回路基板６のみがシールドケース１５によって覆われているから、ディスク装置１を全体的にシールドする構造に比べてシールドケース１５の小型化並びに軽量化が可能となる。また、シールドケース１５を上下に分割し、第１のシールドケース１５Ａにはディスク装置１のフレーム７に対する位置決め手段としてフレーム７に形成する係止爪２０とリブ２３を嵌め入れる嵌合孔２４，２５を形成し、フレーム７に対して第１のシールドケース１５Ａを位置決めした後、フレーム７に形成する固定孔２２Ａにビス３３を螺着してフレーム７に回路基板６を固定する。このようにフレーム７と一体化した回路基板６と第１のシールドケース１５Ａとを第１のシールドケース１５Ａの折曲片２９に形成するねじ孔２８にビス３３をねじ込むことによって固定している。これにより、図５に示すようにシールドケース１５を省略して単に回路基板６に形成する係止孔３０と位置決め孔３１にフレーム７に形成する係止爪２０と位置決めピン２１に挿入した後、ビス３３を固定孔２２Ａにねじ込むことによってフレーム７に回路基板６を露出させた状態でも固定することが可能である。すなわち、ディスク装置１を内蔵する複合機ではなく、ディスク装置１単体として使用する場合、ディスク装置１を収納する筐体（図示せず）全体を金属製とすれば筐体がシールドケースとして機能するから、回路基板６自体をシールドケース１５で覆ってシールドする必要性は低い。このように、第１のシールドケース１５Ａを省略して回路基板単体６をディスク装置１のフレーム７に固定できる構造とすることにより、ディスク装置１を内蔵したテレビジョン受像機などの複合機とディスク装置単体の専用機とでディスク装置１のフレーム７及び回路基板６を共通化することができるため、汎用性にも優れる。また、回路基板６を囲繞したシールドケース１５をターンテーブル４やピックアップレンズ５及びその送り機構８をユニット化した駆動系ユニット１０を覆うようにフレーム７に水平に固定することによって、回路基板６から輻射される電磁波ノイズのみならず駆動系ユニット１０から輻射される電磁波ノイズを効果的にシールドすることができる。また、シールドケース１５と回路基板６を取り外せばディスク装置１の上面部が開放状態となるため、ピックアップレンズ５の調整作業なども容易に行える。
【実施例２】
【００２４】
図６は本発明の実施例２を示すディスク装置の断面図である。なお、実施例２において、前記実施例１と同一機能を有する部分には同一符号を付し、前記実施例１と共通する部分の説明を省略し、異なる部分についてのみ説明する。
【００２５】
前記実施例１においては、ターンテーブル４やピックアップレンズ５及びその送り機構８をユニット化した駆動系ユニット１０の上方を覆うようにして回路基板６を収納したシールドケース１５をフレーム７の左右の側壁部７Ｂの上面に掛け渡した例を示したが、本実施例では、駆動系ユニット１０の下方を覆うようにして回路基板６を収納したシールドケース１５をフレーム７の左右の側壁部７Ｂの下面に掛け渡して水平に固定している。このように、回路基板６を収納したシールドケース１５をフレーム７の下面に固定する場合、ディスク装置１を収納する筐体（図示しない）の底部にスペーサを設け、このスペーサによって形成される筐体底部とフレーム７との間に形成される空間にシールドケース１５を配置する。
【００２６】
以上のように、回路基板６の周囲をシールドケース１５で囲繞することにより、前記実施例１と同様、回路基板６から輻射される電磁波ノイズをシールドケース１５によって効果的に遮蔽することができる。また、回路基板６を囲繞したシールドケース１５をターンテーブル４やピックアップレンズ５及びその送り機構８をユニット化した駆動系ユニット１０の下方を覆うようにフレーム７に水平に固定することによって、駆動系ユニット１０から下方に輻射される電磁波ノイズを効果的にシールドすることができる。
【００２７】
以上、本発明の一実施例を詳述したが、本発明は前記実施例に限定されるものでなく、本発明の要旨の範囲内で種々の変形実施が可能である。例えば、回路基板の取付構造や位置決め手段などのディスク装置の基本的構成は前記実施例に限定されるものではなく、適宜選定すればよい。
【図面の簡単な説明】
【００２８】
【図１】本発明の実施例１を示すシールドケースとフレームとの分解斜視図である。
【図２】同上、シールドケースを組み付けたディスク装置の斜視図である。
【図３】同上、シールドケースを取り外した状態のディスク装置の平面図である。
【図４】同上、ディスク装置の断面図である。
【図５】回路基板をディスク装置に組み付けた状態を示す斜視図である。
【図６】本発明の実施例２を示すディスク装置の断面図である。
【符号の説明】
【００２９】
１    ディスク装置
４    ターンテーブル
４Ａ  クランパ
５    ピックアップレンズ
６    回路基板
７    フレーム
７Ａ  支持部
７Ｂ  側壁部
１８Ｂ  フラットケーブル（配線部材）
１５  シールドケース
１５Ａ  第１のシールドケース
１５Ｂ  第２のシールドケース
２０  係止爪（位置決め手段）
２１,２２  位置決めピン（位置決め手段）
２２Ｂ  固定孔（第１の固定手段）
２３  リブ（位置決め手段）
２４,３１  位置決め孔（位置決め手段）
２５,２６  挿通孔（位置決め手段）
２８  ねじ孔（第２の固定手段）
２９  折曲片（第２の固定手段）
３０  係止孔（位置決め手段）
【図１】
2007012103.tif 000003
【図２】
2007012103.tif 000004
【図３】
2007012103.tif 000005
【図４】
2007012103.tif 000006
【図５】
2007012103.tif 000007
【図６】
2007012103.tif 000008